(57)【要約】【課題】牽引力に対する抵抗力が大きく、一人で持ち運びが容易にであって、且つ正確にかつ安定して測距作業ができるメジャーテープ取付機用基台の提供。【解決手段】本発明のメジャーテープ取付機用基台の上面には、球体台９８を取付けるネジ穴を有し、また該基台の下面中央部には、三脚取付穴８を有している。更に該基台１５は、両側にそれぞれ取っ手１６、１７を有している。この基台１５の上面にあるネジ穴に、支柱７基部に設けられた球体６が、中央部の球体用凹部６ｂに嵌合固定された球体台９８を取付け、更に該下面の中央部の三脚取付穴８には三脚１８を取付ける。球体６の表面には、湾曲凹面部６ａを有している。【選択図】  図１        
2005106721.tif 000002
【特許請求の範囲】
【請求項１】
表面の中央部に位置するように球体台部材取付用ネジ穴を複数有し、かつ下面には中央部に三脚取付穴を有する基台であって、該基台の対向した両側面にそれぞれ取っ手を有することを特徴とするメジャーテープ取付機用基台
【請求項２】
請求項１に記載の基台の上面に、水平位置調整部を有する球体台部材１０ａと、上下・遠近位置調整部３０と、鉛直方向調整部４０とが連接されたメジャーテープ取付機を有し、かつ下面に三脚が取付けられていることを特徴とするメジャーテープ取付機。
【発明の詳細な説明】
【技術分野】
【０００１】
本発明は、境界測量の測距、センター杭測設の測距、平板測量の測距、工事現場における張り出しの測距等の測量や工事現場において用いる、牽引力に対する抵抗力の大きいメジャーテープ取付機用基台に関するものである。
【背景技術】
【０００２】
従来、工事現場における張り出しの測距等、比較的短い距理を測る場合において、メジャーテープを持つ人と目盛りを読む人との２人係りで行っている。測距作業にも省力化が求められているが、現在２人で行っている作業を、仮に一人で行うことができれば２倍の効率化（省力化）を実現することになる。
【０００３】
このような中で、本出願人は、測距作業を行うために使用されるメジャーテープ取付機において、傾斜地の傾斜面にも安定して設置できるメジャーテープ取付機を発明し、特許出願した（例えば、特許文献１参照）。このメジャーテープ取付機は、図２（本願では、図４に示す。）に示されるように、地形１の傾斜面に支持重量部１０からなるウエイト１１を設置し、その側部には、水平位置調整部２０を有している。この支持重量部１０は、装置全体を支持してその姿勢を安定させるために必要である。前記水平位置調整部２０には、下部に縦棒支持部材２１を有する縦棒２２が回転自在に凹部２４に嵌合され、ネジ２５で固定されるように構成されている。この水平位置調整部２０は、メジャーテープ６２の始端位置を水平方向において調整するために必要である。また前記縦棒２２には、上下・遠近位置調整部３０を有し、これに連接された横棒３２には、鉛直方向調整部４０を介してメジャーテープ固定部５０を有する。上下・遠近位置調整部３０は、メジャーテープ６２の始端位置を上下・遠近に調整するために必要であり、鉛直方向調整部４０は、メジャーテープ６２の始端位置を鉛直方向において特定するために必要である。更にメジャーテープ固定部５０には、メジャーテープの一端が固定されると共に、垂球６１に連結されている糸６０が固定される。この水平位置調整部２０の調整部装着部１３には、調整部装着部１３に嵌合される水平断面円形の縦棒支持部材２１が嵌合されている。
【０００４】
また前記特許出願を元に国内優先権主張して出願したメジャーテープ取付機は、図７（本願では図５）に示されるように、該メジャーテープ取付機に取り付けられている縦角柱支持部材２１ａの端部に結合している水平断面円形、即ち円柱状のものに代えて球状体７１ａを使用する点にあり、これにより縦角柱を全方向に傾斜することができ、使用の自由度が大幅に増すという優れた効果を奏するものである（例えば、特許文献２参照）。
【特許文献１】特願２００２−０９９６２２（図２参照）
【特許文献２】特願２００３−００１４５３（段落００１１、図７参照）
【発明の開示】
【発明が解決しようとする課題】
【０００５】
従来は、このような一人で測距する装置は見当たらず、前記効率化のために、本発明者が初めて現実のものとして実現し、かかるメジャーテープ取付機に関する発明を特許出願した（特許文献１）。更に本発明者は、メジャーテープ取付機に取り付けられている縦棒支持部材として、円柱状のものに代えて球状体を使用することにより縦棒を全方向に傾斜することができ、使用の自由度が大幅に増すことを発見し、特許出願した（特許文献２）。しかしながら、これらのメジャーテープ取付機は、三脚に取り付けると、不安定となり牽引力に対する抵抗力が小さく、メジャーテープを引っ張ると転倒する危険があることがわかった。このような中でメジャーテープ取付機が牽引力に対して抵抗力が大きく、安定した作業ができる構造について種々検討したところ、水平位置調整部をウエイト部材からなる基台上面の中央部に設置すると共に、該ウエイト部材の基台の下面に三脚を取り付けることにより牽引力に対して抵抗力が大きく、安定した作業ができることを見出した。またこの際、基台に取っ手を設けてメジャーテープ取付機の移動やその取扱いを容易にすると共に安定した作業ができることを見出し、ここに、本発明をなすに至った。したがって、本発明が解決しようとする課題は、牽引力に対する抵抗力が大きく、一人で持ち運びが容易であって、且つ正確にかつ安定して測距作業ができるメジャーテープ取付機用基台を提供することにある。
【課題を解決するための手段】
【０００６】
本発明の上記課題を解決するために、本発明は下記の手段を講じた。
（１）表面の中央部に位置するように球体台部材取付用ネジ穴を複数有し、かつ下面には中央部に三脚取付穴を有する基台であって、該基台の対向した両側面にそれぞれ取っ手を有することを特徴とするメジャーテープ取付機用基台
（２）前記第１項に記載の基台の上面に、水平位置調整部を有する球体台部材と、上下・遠近位置調整部と、鉛直方向調整部とメジャーテープ固定部が連接されたメジャーテープ取付機を有し、かつ下面に三脚が取付けられていることを特徴とするメジャーテープ取付機。
【発明の効果】
【０００７】
本発明の前記第１項に記載のメジャーテープ取付機用基台は、表面の中央部に位置するように球体台部材取付用ネジ穴を複数有し、かつ下面には中央部に三脚取付穴を有する基台であって、該基台の対向した両側面にそれぞれ取っ手を有することにより、該基台の上面にメジャーテープ取付機を取付け、かつ該基台の下面中央部に三脚を取付けることができる。このように取付けたメジャーテープ取付機は、牽引力に対する抵抗力が大きく、一人で持ち運びが容易にであって、且つ正確にかつ安定して測距作業を行うことができるという格別の効果を奏するものである。
【０００８】
前記第２項記載の発明によれば、上記効果に加えて、前記第１項に記載の基台の上面に、水平位置調整部を有する球体台部材と、上下・遠近位置調整部と、鉛直方向調整部とメジャーテープ固定部が連接されたメジャーテープ取付機を有し、かつ下面に三脚が取付けられているので、牽引力に対する抵抗力が大きく、移動が容易でかつ非常に安定して設置でき、安心して測距作業ができるという優れた効果を奏するものである。
【発明を実施するための最良の形態】
【０００９】
以下、本発明の最良の形態を更に具体的に説明するが、本発明は、これらの例によって限定されるものではない。
【００１０】
図１は、本発明の基台の平面図である。図２は、図１に示される基台の断面図である。本発明の実施の形態を図面に従って説明する。図３は、本発明の基台に三脚とメジャーテープ取付機を取り付けたところを示す略側面図である。図１及び図２において、本発明のメジャーテープ取付機用基台１５は、正方形であり、かつ厚みを有し、所定の重量を有する鉄ブロックから形成される「重石」としてウエイト部材からなる。しかし、この重量を有する基台１５のウエイト部材の形状は、立方体に限らず、直方体状であっても、円柱状乃至楕円柱状であってもよい。またこの基台１５の重量としては、１０〜２０ｋｇがよく、更に好ましくは１２〜１５ｋｇである。本発明では、この断面正方形で厚みのある基台１５（重量１２ｋｇ）の両側面４、５に取っ手１６、１７を有している。これらの取っ手１６、１７は手のひらまで入る幅を有するものであればよく、大きさにはこだわらない。基台１５の側面４、５において、取手足部１６ａ、１７ｂがほぼ端部で固定されていてもよいが、図１では、側面４、５の端部から少し内側に取り付けられている。また基台１５の下面には、三脚取付穴８を有し、この穴８は、内側がネジ山を有しているのが好ましい。
【００１１】
また本発明の基台１５の上面には、基台１へ球体台９８を取り付けるために、球体台９８の４隅から外方向へ伸びた取付け部８３が設けられており、この取付け部８３に取付ネジ９４、９５、９６、９７で取付け固定される。球体台９８に凹部に嵌合された支柱基部球体６を有し、該球体６には、縦角柱７を有しており、縦角柱７を前後左右に動かしたときに、断続的な動きをする。縦角柱７を所定の位置に調整した後、球体固定ネジ９２、９３で固定する。更に球体６は、球体被せ板９９で覆われて球体台９８の凹部に内蔵されている。該球体被せ板９９は、ネジ６３により４隅が固定されており、これにより球体６が外れるのを防止している。更にこの縦角柱７には、例えば鉛直方向調整部４０を介してメジャーテープ固定部５０が設けられていると共に、このメジャーテープ固定部５０には、垂球６１が糸６０を介して垂下されている如く使用される。本発明の基台１５には、いわゆるメジャーテープ取付機が取り付けられて使用される。
【００１２】
本発明のメジャーテープ取付機用基台１５には、その下面に三脚を取り付けると共に、その上面にメジャーテープ取付機を取り付けて使用される。このメジャーテープ取付機は、大別して、基台１５に取付けてその姿勢を安定させ、かつメジャーテープ６２の始端位置を水平方向において調整する球体台部材１０ａと、メジャーテープ６２の始端位置を上下・遠近に調整する上下・遠近位置調整部３０と、メジャーテープ６２の始端位置を鉛直方向において特定する鉛直方向調整部４０と、メジャーテープ固定部５０とからなる。
【００１３】
〔水平位置調整部を有する球体台部材１０ａ〕
水平位置調整部を有する球体台部材１０ａは、全体として断面正方形からなり、適度の厚みを有する球体台９８は、その４隅から外方向へ伸びた取付け部８３に取付ネジ９４、９５、９６、９７で取付け固定される。球体台９８には凹部に嵌合された支柱基部球体又は球体６を有し、該球体６には、縦角柱７を有しており、縦角柱７を前後左右に動かしたときに、断続的な動きをする。縦角柱７を有する球体６は、球体台１５の凹部６ｂに嵌合し、球体被せ板９９を被せた後、球体固定ネジ９２、９３で固定する。したがって、球体６は、球体被せ板９９で覆われて球体台９８の凹部に内蔵されている。該球体被せ板９９は、ネジ６３により４隅が固定されており、これにより球体６が外れるのを防止している。またこの実施例の場合は、なお、縦角柱７を水平断面円形の棒状体とすることも可能である。また、この場合は、後述の上下・遠近位置調整部３０において、移動枠３１を上下方向に独立的に調整し易いというメリットがある。更に球体台９８には、球体６に対応した球体用凹部６ｂを有し、該凹部６ｂには、水平断面角形の縦棒支持部材７の端部に有する球体６が嵌合され、固定具ねじ孔を介して設けられた支持部材固定具９２、９３により支柱７、その他の調整部を所望に調整した後、球体６を固定する。この球体６の表面には、湾曲凹面部又は凹部６ａが形成されていてもよく、この凹部６ａにより縦角柱７を前後左右に動かしたときに、断続的な動きをする。なお、本発明では、球体６は、中実のものについて説明したが、球体６は、中空であってもよいことは言うまでもない。更に縦棒７は、縦角柱で説明したが、縦円柱であってもよい。
【００１４】
〔上下・遠近位置調整部３０〕
上下・遠近位置調整部３０は、上記縦棒２２（又は縦角柱７でもよい。）の適宜個所に設定されるものであり、上下に縦棒２２に沿って移動・固定可能な移動枠３１と、該移動枠３１に横方向に貫通して配置される横棒３２と、該横棒３２を移動枠３１に固定する横棒固定具３３と、からなる。
【００１５】
〔鉛直方向調整部４０〕
鉛直方向調整部４０を構成する球体４１は、横棒３２の一端部に一体に固定されており、該球体４１は、外形が略直方体の鉛直調整枠４２を略ユニバーサルに回転可能に支持している。即ち、鉛直調整枠４２の中心部には、球体４１を内包可能な球形の凹部が形成されており、この凹部を介して球体４１に鉛直調整枠４２が支持されているといえる。
【００１６】
また、前記球体４１の全周には球体凹部４１ａが全周にわたって多数形成されており、また、球体４１の下端部近傍に下垂杆４４が一体に設けられている。また、鉛直調整枠４２には調整枠固定具４３が付設されており、該調整枠固定具４３により、球体４１に対して鉛直調整枠４２が固定される。また、下垂杆４４の下端部には中間枠４６着脱自在に連結されており、中間枠４６は下垂杆４４に対して下垂杆固定具４５によって固定される。上記中間枠４６の下部には、心棒受け部４７が形成されており、該心棒受け部４７に、後述の芯棒径大部５３が回転自在に嵌合されている。なお、上記実施例では、下垂杆４４の鉛直姿勢を決める手段として、球体４１及び球体４１に外嵌される鉛直調整枠４２を用いたが、複数の連結方向の違うヒンジ機構を組み合わせるなどの他の手段を採用してもよい。
【００１７】
〔メジャーテープ固定部５０〕
次に、メジャーテープ固定部５０について説明する。中間枠４６に対して回転自在に取り付けられている回転芯棒５２の下部には、メジャーテープ固定部５０が一体に取り付けられている。メジャーテープ固定部５０を構成するメジャーテープ固定枠５１は、断面略コ字形に形成され、メジャーテープ締付板５６がメジャーテープ締付ねじ５５を介して上下に移動可能に配置されている。そして、メジャーテープ締付板５６によりメジャーテープ６２の端部をメジャーテープ固定枠５１に押し付けて、固定することになる。また、メジャーテープ固定枠５１の下部には、その直下部に糸位置決凸部５８、該糸位置決凸部５８に連動する糸溝５７、及び糸孔５４が形成され、その背面には糸止め５９が形成されている。そして、垂球６１連結されている糸６０は糸位置決凸部５８に案内され、糸溝５７を介して糸止め５９にその端部が固定されることになる。
【００１８】
次に、上記装置の使用方法について説明する。上記構成により、地形１上の第１杭２（基準点）に対して第２杭３の距理を測る場合には、図３に示すように、地形１の表面上に三脚８６に基台１５を取り付けた後、更に該基台１５に球体台９８を有する水平位置調整部１０ａを設置し、支持部材固定具９２、９３を緩めて縦角柱７を回転自在の状態とし、また、横棒固定具３３を緩めて横棒３２を前後に進退自在の状態とし、また、調整枠固定具４３を緩めて球体４１に対して鉛直調整枠４２が回転自在の状態となる。
【００１９】
そして、垂球６１が第１杭２の上部に一致するように配置する。その上で、支持部材固定具９２、９３で球体６を締めて縦角柱７を固定し、横棒固定具３３により移動枠３１を固定し、調整枠固定具４３により鉛直調整枠４２を固定する。上記操作により、メジャーテープ固定枠５１の位置が特定される。そして、メジャーテープ固定枠５１にメジャーテープ６２の端部をメジャーテープ締付ねじ５５の操作によって固定しメジャーテープ６２の端部（始端部）が固定される。そして、作業者はメジャーテープ６２の他端部を水平に引き伸ばし垂球６１の下端が第２杭３の上部に一致させたところでその水平距理を正確に測ることができる。
【００２０】
この測定に当たって、メジャーテープ固定部５０は回転芯棒５２を中心に水平に回転自在であるから作業者は容易に第２杭３に対して垂球６１を一致させることができる。上記構成により、メジャーテープ６２を用いた２点間の距理を１人で行うことができるばかりでなく、牽引力に対する抵抗力が大きい点で優れ、作業が極めて効率的となった。特に図３に示すように、測定すべき第１杭２及び第２杭３の地形がどのような傾斜地であっても１人で正確に測距することができるようになった。このように本発明では、重量物からなる基台１５の対向した両端に取っ手７１、７２を設け、中央部に球体台９８を設置し、三脚の取り付けて使用することにより、牽引力に対する抵抗力が大きく、一人で持ち運びが容易にであって、且つ正確にかつ安定して測距作業ができる。
【産業上の利用可能性】
【００２１】
本発明のメジャーテープ取付機用基台は、三脚及びメジャーテープ取付機を取り付けて測距に用いられ、特に、土木・建築等の分野において、境界測量の測距、センター杭測設の測距、平板測量の測距、工事現場における張り出しの測距等の測量や工事現場にける測距に用いることができる。
【図面の簡単な説明】
【００２２】
【図１】本発明のメジャーテープ取付機用基台を示す平面図である。
【００２３】
【図２】図１のメジャーテープ取付機用基台を示す側面断面図である。
【図３】本発明の基台にメジャーテープ取付機及び三脚を取り付けたところを示す断面図である。
【図４】従来のメジャーテープ取付機の水平位置調整部を示す略側面図である。
【図５】従来のメジャーテープ取付機の別の形態の水平位置調整部を示す略側面図である。
【符号の説明】
【００２４】
１  地形        ２  第１杭      ３  第２杭        ４、５  基台側面
６  支柱基部球体        ６ａ  湾曲凹面部又は凹部        ６ｂ  球体用凹部
７  支柱        ８  三脚取付穴
１０  支持重量部      １１  （鉄ブロック）ウエイト部材      １２  ハンドル
１３  調整部装着部        １５  基台      １６、１７  取っ手
１８  三脚      １６ａ、１６ｂ  取手足部        ２０  水平位置調整部
２１  縦棒支持部材        ２１ａ  角柱        ２２  縦棒
２４  凹部        ２５  支持部材固定具
３０  上下・遠近位置調整部        ３１  移動枠
３２  横棒    ３３  横棒固定具    ４０  鉛直方向調整部    ４１  球体
４１ａ  球体凹部        ４２  鉛直調整枠          ４３  調整枠固定具
４４  下垂杆        ５０  メジャーテープ固定部
５１  メジャーテープ固定枠        ５２  回転心棒
５３  心棒径大部        ５４  糸孔      ５５  メジャーテープ締付ねじ
５６  メジャーテープ締付板
５８  糸位置決凸部        ６０  糸
６１  垂球        ６２  メジャーテープ        ６３  締付ネジ
７１  縦棒支持部材      ７１ａ  球状体        ７１ｂ  凹部（曲面）
７２、７３、７４  ねじ
７５、７６  ボルト
７７  蓋      ８３  取付部      ９２、９３      球体固定ネジ
９４、９５、９６、９７  基台取付ネジ      ９８  球体台
９９  球体被せ板
【図１】
2005106721.tif 000003
【図２】
2005106721.tif 000004
【図３】
2005106721.tif 000005
【図４】
2005106721.tif 000006
【図５】
2005106721.tif 000007